(57)【要約】【課題】新品であるか否かを判別するためのヒューズを備えたランプユニットにおけるランプの点灯試験を行う際に、ヒューズの導通状態を保持したままで、ランプの点灯試験を可能とする。【解決手段】初期状態においては導通状態で通常投写の状態に設定されると溶断されるヒューズ１１２と光源としてのランプとを有するランプユニットＬＰＵと、ヒューズ１１２を溶断させるためのヒューズ溶断回路４３０と、プロジェクターＰＪの電源が投入されたあとにヒューズ１１２が導通状態であるか否かを判定するヒューズ導通状態判定部４２０と、ヒューズ１１２が導通状態であると判定され、かつ、ランプの点灯試験を行うことを指示する情報が入力されると、ヒューズ１１２の導通状態を保持するように、ヒューズ溶断回路４３０を制御する機能を有するランプ点灯試験制御部４１０とを有する。【選択図】図５
2010244699.tif 000002
【特許請求の範囲】
【請求項１】
初期状態においては導通状態であって通常投写の状態に設定されると溶断されるヒューズと、光源としてのランプとを有するランプユニットと、
前記ヒューズを溶断させるためのヒューズ溶断回路と、
前記ヒューズが導通状態であるか否かを判定するヒューズ導通状態判定部と、
前記ヒューズが導通状態であると判定され、かつ、前記ランプの点灯試験を行うことを指示する情報が入力されると、前記ヒューズの導通状態を保持するように、前記ヒューズ溶断回路を制御する機能を有するランプ点灯試験制御部と、
を有することを特徴とするプロジェクター。
【請求項２】
請求項１に記載のプロジェクターにおいて、
前記ランプ点灯試験制御部は、当該プロジェクターを操作するユーザーが前記点灯試験又は前記通常投写のうちのいずれかを選択可能な点灯試験／通常投写選択用画面を表示面上に表示する機能をさらに有することを特徴とするプロジェクター。
【請求項３】
請求項２に記載のプロジェクターにおいて、
前記ランプ点灯試験制御部は、前記ユーザーによって前記点灯試験が選択されると、前記通常投写を不能とする機能をさらに有することを特徴とするプロジェクター。
【請求項４】
請求項３に記載のプロジェクターにおいて、
前記通常投写を不能とする機能は、前記プロジェクターの電源を強制的にオフさせることを特徴とするプロジェクター。
【請求項５】
請求項３に記載のプロジェクターにおいて、
前記通常投写を不能とする機能は、前記点灯試験を行っていることを示す情報を前記ユーザーによって電源がオフされるまで前記表示面上に表示させることを特徴とするプロジェクター。
【請求項６】
請求項１〜５のいずれかに記載のプロジェクターにおいて、
ランプ点灯試験制御部は、前記ランプユニットを冷却する冷却部の制御を行う機能をさらに有し、前記冷却部の制御を行う機能は、前記点灯試験の終了後に前記電源がオフされたあとにおいても、前記冷却部による冷却を所定時間だけ継続させるように前記冷却部を制御することを特徴とするプロジェクター。
【請求項７】
請求項２に記載のプロジェクターにおいて、
前記ランプ点灯試験制御部は、前記ユーザーによって前記通常投写が選択されると、前記ヒューズを溶断させるように前記ヒューズ溶断回路を制御する機能をさらに有することを特徴とするプロジェクター。
【請求項８】
請求項７に記載のプロジェクターにおいて、
前記ランプ点灯試験制御部は、前記ヒューズが溶断されると、ランプ累積点灯時間を記憶する記憶部に記憶されているランプ累積点灯時間をリセットする機能をさらに有することを特徴とするプロジェクター。
【請求項９】
初期状態においては導通状態であって通常投写の状態に設定されると溶断されるヒューズと光源としてのランプとを有するランプユニットと、前記ヒューズを溶断させるためのヒューズ溶断回路とを備えたプロジェクターにおけるランプ点灯試験方法であって、
前記ヒューズが導通状態であるか否かを判定するステップと、
前記ヒューズが導通状態であると判定され、かつ、前記ランプの点灯試験を行うことを
指示する情報が入力されると、前記ヒューズの導通状態を保持するように前記ヒューズ溶断回路を制御するステップと、
を有することを特徴とするランプ点灯試験方法。
【発明の詳細な説明】
【技術分野】
【０００１】
本発明は、新品であるか否かの判別が可能なヒューズを備えたランプユニットが搭載されたプロジェクター及びランプ点灯試験方法に関する。
【背景技術】
【０００２】
プロジェクターに装着されるランプユニットが未使用すなわち新品であるか否かを判別する技術は従来から存在する（例えば、特許文献１参照。）。特許文献１に開示された技術は、ランプユニットが未使用であるか否かを識別するための識別機構を有し、当該ランプユニットが使用された状態となると、当該ランプユニットが既に使用状態となっていることが目視によって識別できるというものである。
【０００３】
しかしながら、特許文献１に開示された技術においては、識別機構が、付勢バネ、移動体、シーソー状に動作するストッパーなどの多くの可動部品が用いられた構成となっている。このため、構造が複雑なものとなり、また、各部品の可動スペースを確保する必要があることから、ランプユニットが大型化し、また、組み立て工数も多く実用性において課題が多い。
【０００４】
一方、未使用のランプユニットであるか否かを判別するためのヒューズを有するランプユニットがある。このようなランプユニットは、当該ランプユニットをプロジェクターに装着して電源を投入した時点でヒューズが溶断するようになっている。したがって、ヒューズが溶断状態であるか溶断されていない状態であるかを確認することにより、当該ランプユニットが未使用（新品）であるか否かを容易に識別することができる。なお、「溶断されていない状態」を以下では「導通状態」という。
【０００５】
このようなヒューズを有したランプユニットは、ヒューズを設ければよいので、特許文献１に開示された技術のような可動部品も不要となり、ランプユニットの大型化を抑制することができ、また、組み立て工数にも大きな影響を与えないため、実用性において優れたものであるといえる。
【先行技術文献】
【特許文献】
【０００６】
【特許文献１】特開２００６−１１１３９号公報
【発明の概要】
【発明が解決しようとする課題】
【０００７】
プロジェクターに使用されるランプユニットは、ランプユニットそのものが高価なものであるため、たとえ新品のランプユニットであっても、当該ランプユニットに設けられているランプが実際に点灯するか否かを確認した上で、ランプユニットの交換を行うことが好ましい。
【０００８】
ところが、ヒューズを有するランプユニットの場合、ランプユニットをプロジェクターに装着して電源を入れると、ヒューズが溶断状態となってしまう。このため、プロジェクターの販売を行う販売店などが、ユーザーからランプユニットの納品依頼を受けた場合などにおいて、納品すべきランプユニットにおけるランプの点灯試験を行った後に当該点灯試験済みのランプユニットを納品しようとすると、当該ランプユニットのヒューズはすでに溶断状態となってしまうということになる。したがって、ユーザー側の立場からすると、納品されたランプユニットは本当に新品のランプユニットであるのかといった疑問を抱
くことにもなる。
【０００９】
これに対処するために、ヒューズを導通状態としたまま、点灯試験を可能とする専用の点灯試験装置を作成しておくことも考えられる。しかしながら、このような専用の点灯試験装置をわざわざ作成するとなると、そのためのコストもかかり、また、その都度、専用の点灯試験装置を準備しておいて点灯試験を行うというのも面倒なことである。このため、当該ランプユニットが装着されるプロジェクターを用いて点灯試験を行えるようにすることが望まれている。
【００１０】
そこで本発明は、新品であるか否かを判別するためのヒューズを備えたランプユニットにおけるランプの点灯試験を行う際に、ヒューズの導通状態を保持したままで、ランプの点灯試験を可能とするプロジェクター及びランプ点灯試験方法を提供することを目的とする。
【課題を解決するための手段】
【００１１】
本発明のプロジェクターは、初期状態においては導通状態であって通常投写の状態に設定されると溶断されるヒューズと光源としてのランプとを有するランプユニットと、前記ヒューズを溶断させるためのヒューズ溶断回路と、前記ヒューズが導通状態であるか否かを判定するヒューズ導通状態判定部と、前記ヒューズが導通状態であると判定され、かつ、前記ランプの点灯試験を行うことを指示する情報が入力されると、前記ヒューズの導通状態を保持するように、前記ヒューズ溶断回路を制御する機能を有するランプ点灯試験制御部とを有することを特徴とする。
【００１２】
本発明のプロジェクターによれば、当該ランプユニットに設けられているランプの点灯試験を行う際に、専用の点灯試験装置を用いることなく、ヒューズの導通状態を保持したままで、ランプの点灯試験が可能となり、ランプの点灯試験後においても当該ランプユニットを新品として扱うことが可能となる。これにより、例えば、プロジェクターの販売店などが、ユーザーからランプユニットの納品依頼を受けた場合、ユーザーに納品すべきランプユニットをプロジェクターに実際に装着して点灯試験を行ってから、当該ユーザーに新品のランプユニットとして納品することができる。
【００１３】
本発明のプロジェクターにおいては、前記ランプ点灯試験制御部は、当該プロジェクターを操作するユーザーが前記点灯試験又は前記通常投写のうちのいずれかを選択可能な点灯試験／通常投写選択用画面を表示面上に表示する機能をさらに有することが好ましい。
【００１４】
これにより、ユーザーは、容易に点灯試験又は通常投写のいずれかを選択することができる。また、このような点灯試験／通常投写選択用画面を表示するということはランプの点灯試験としての意味も有している。すなわち、何らかの画像が表示されるということは、当該ランプは正常に点灯するということである。
【００１５】
本発明のプロジェクターにおいては、前記ランプ点灯試験制御部は、前記ユーザーによって前記点灯試験が選択されると、前記通常投写を不能とする機能をさらに有することが好ましい。
【００１６】
これにより、ヒューズの導通状態を保持したままで、長期間、プロジェクターが使用されてしまうのを防止することができる。本発明のプロジェクターにおいては、電源がオンの状態でヒューズの導通状態を保持するのは、点灯試験を行う場合のみであり、もし、ヒューズの導通状態を保持したままで、通常投写が可能となってしまうと、その状態で、長期間、プロジェクターを使用されてしまい、悪意のあるユーザーからプロジェクターの販売店などにランプユニットに関して不当な要求がなされる可能性もあり得る。
【００１７】
すなわち、ヒューズが導通状態であるということは、当該ランプユニットは新品であることを意味している。これを悪用して、例えば、ヒューズの導通状態を保持したままで、当該ランプユニットを長期間使用した後に、何らかの不具合が生じてランプ不点灯となった場合などにおいては、悪意あるユーザーによって、「新品のランプユニットであるはずなのに、ランプが点灯しない」というような不当な要求がなされる可能性もあり得る。このような不具合を防止するためには、点灯試験が選択された場合は、通常投写を不能とする機能を有することが必要となる。
【００１８】
本発明のプロジェクターにおいては、前記通常投写を不能とする機能は、前記プロジェクターの電源を強制的にオフさせることが好ましい。
【００１９】
このように、電源を強制的にオフさせればその時点で投写が行えなくなるため、ヒューズの導通状態を保持したままで、長期間、プロジェクターが使用されてしまう不具合を確実に防止することができる。なお、プロジェクターの電源を強制的にオフさせるということは、プロジェクターを操作するユーザーの意思に関係なくプロジェクターの電源をオフさせることを意味している。
【００２０】
本発明のプロジェクターにおいては、前記通常投写を不能とする機能は、前記点灯試験を行っていることを示す情報を前記ユーザーによって電源がオフされるまで前記表示面上に表示させることもまた好ましい。
【００２１】
このように、点灯試験を行っていることを示す情報を電源がオフされるまで継続的に前記投写面上に表示させることによっても、通常投写が行えないため、ヒューズの導通状態を保持したままで、長期間、プロジェクターが使用されてしまう不具合を確実に防止することができる。なお、この場合の「電源がオフ」というのは、ユーザーの操作によって電源がオフされることを意味している。
【００２２】
本発明のプロジェクターにおいては、ランプ点灯試験制御部は、前記ランプユニットを冷却する冷却部の制御を行う機能をさらに有し、前記冷却部の制御を行う機能は、前記点灯試験の終了後に前記電源がオフされたあとにおいても、前記冷却部による冷却を所定時間だけ継続させるように前記冷却部を制御することが好ましい。
【００２３】
このように、点灯試験の終了後においては、電源をオフしたあとも、冷却部（冷却ファンなど）を所定時間だけ作動させることにより、冷却効果をより高めることができる。これにより、点灯試験を行う際、ヒューズ及びその端子がランプの熱により破壊されるのを防止することができる。
【００２４】
本発明のプロジェクターにおいては、前記ランプ点灯試験制御部は、前記ユーザーによって前記通常投写が選択されると、前記ヒューズを溶断させるように前記ヒューズ溶断回路を制御する機能をさらに有することが好ましい。
【００２５】
これにより、プロジェクターが通常投写を行う際には、ヒューズを溶断することができ、それ以降は、当該ランプユニットを新品とは区別して扱うことができる。
【００２６】
本発明のプロジェクターにおいては、前記ランプ点灯試験制御部は、前記ヒューズが溶断されると、ランプ累積点灯時間を記憶する記憶部に記憶されているランプ累積点灯時間をリセットする機能をさらに有することが好ましい。
【００２７】
これにより、新たに装着した当該ランプユニットにおけるランプ点灯時間を累積して記
憶して行くことができる。
【００２８】
本発明のランプ点灯試験方法は、初期状態においては導通状態であって通常投写の状態に設定されると溶断されるヒューズと光源としてのランプとを有するランプユニットと、前記ヒューズを溶断させるためのヒューズ溶断回路とを備えたプロジェクターにおけるランプ点灯試験方法であって、前記ヒューズが導通状態であるか否かを判定するステップと、前記ヒューズが導通状態であると判定され、かつ、前記ランプの点灯試験を行うことを指示する情報が入力されると、前記ヒューズの導通状態を保持するように前記ヒューズ溶断回路を制御するステップとを有することを特徴とする。
【００２９】
このような手順によってランプの点灯試験を行うことにより、前記本発明のプロジェクターと同様の効果を得ることができる。なお、本発明のランプ点灯試験方法においても、前記本発明のプロジェクターが有する各特徴を有することが好ましい。
【図面の簡単な説明】
【００３０】
【図１】実施形態に１係るプロジェクターＰＪの光学系を模式的に示す図。
【図２】ランプユニットＬＰＵの外観構成を示す斜視図。
【図３】ヒューズ基板１１３を取り出して示す斜視図。
【図４】実施形態１に係るプロジェクターＰＪの外観を示す斜視図。
【図５】実施形態１に係るプロジェクターＰＪの機能ブロック図。
【図６】実施形態１に係るプロジェクターＰＪの動作について説明するフローチャート。
【図７】「点灯試験」／「通常投写」のうちのいずれかを選択可能なモード選択用画面の一例を示す図。
【図８】実施形態２に係るプロジェクターＰＪの動作を説明するフローチャート。
【発明を実施するための形態】
【００３１】
以下、本発明の実施形態について説明する。
【００３２】
［実施形態１］
図１は、実施形態１に係るプロジェクターＰＪの光学系を模式的に示す図である。実施形態１に係るプロジェクターＰＪは、図１に示すように、赤色光、緑色光及び青色光を含む光を射出するランプ１１０を保持するランプユニットＬＰＵと、レンズアレイ１２０と、重畳レンズ１３０と、画像形成手段１４０と、投写レンズ１５０とを備える。
【００３３】
画像形成手段１４０は、ランプ１１０から射出された光を赤色光（Ｒ）と緑色光（Ｇ）及び青色光（Ｂ）とに分離する第１ダイクロイックミラー１４１と、第１ダイクロイックミラー１４１で分離された緑色光（Ｇ）及び青色光（Ｂ）を緑色光（Ｇ）と青色光（Ｂ）とに分離する第２ダイクロイックミラー１４２と、画像データ処理部３７０（図５照）で処理された画像データに基づいて赤色光、緑色光及び青色光の各色光を変調する赤色光用の光変調素子１４３Ｒ、緑色光用の光変調素子１４３Ｇ及び青色光用の光変調素子１４３Ｂと、第１ダイクロイックミラー１４１を透過した赤色光を光変調素子１４３Ｒに導く反射ミラー１４４と、第２ダイクロイックミラー１４２を透過した青色光を光変調素子１４３Ｂに導く第１リレーレンズ１４５、第１反射ミラー１４６、第２リレーレンズ１４７及び第２反射ミラー１４８と、光変調素子１４３Ｒ，１４３Ｇ，１４３Ｂでそれぞれ変調された各色光を合成してカラー画像光を形成するクロスダイクロイックプリズム１４９とを有する。
【００３４】
なお、クロスダイクロイックプリズム１４９から射出されるカラー画像光は投写レンズ１５０によって拡大されてスクリーンＳＣＲに投写される。
【００３５】
また、ランプユニットＬＰＵは、ランプ１１０の他に、ランプユニットＬＰＵをプロジェクターＰＪ本体の電気回路（図示せず。）に接続するためのコネクタ１１１と、ランプユニットＬＰＵが未使用すなわち新品であるか否かを判別するためのヒューズ１１２が設けられている。なお、ランプユニットＬＰＵからのランプ１１０の取り外しは、ユーザー側においては容易には行えないようになっており、ランプ１１０が不点灯状態となった場合は、ユーザーはランプユニットＬＰＵを購入して、ランプユニットＬＰＵ全体を交換するものとする。
【００３６】
また、ヒューズ１１２は、初期状態（ランプユニットＬＰＵが新品である状態）においては、導通状態となっているが、当該ランプユニットＬＰＵをプロジェクターＰＪに装着して通常投写モードが設定されると溶断されるようになっている（この動作については後述する。）。したがって、ヒューズ１１２の状態（導通状態か溶断状態であるか）を調べることによって、当該プロジェクターＰＪが新品であるか否かを容易に判定できる。なお、ヒューズ１１２は、ヒューズ基板１１３に取り付けられている。また、ヒューズ基板１１３には、ヒューズ１１２をプロジェクターＰＪの電源回路に接続するための端子Ｔ１，Ｔ２が取り付けられている。
【００３７】
図２は、ランプユニットＬＰＵの外観構成を示す斜視図である。ランプユニットＬＰＵは、図２に示すように、筐体１００と、筐体１００の内部に保持されたランプ１１０と、ヒューズ１１２及び端子Ｔ１，Ｔ２が取り付けられているヒューズ基板１１３とを有し、さらに、図１で示したコネクタ１１１（図２においては目視できない場所にあるため図示されていない。）などを有している。ランプユニットＬＰＵは、これらの構成要素以外にも種々の構成要素が存在するが、本発明の実施形態を説明する上で特に必要のない構成要素については説明を省略する。
【００３８】
図３は、ヒューズ基板１１３を取り出して示す斜視図である。ヒューズ基板１１３は、図３に示すよう、ヒューズ１１２と、ヒューズ１１２をプロジェクターＰＪの電源回路に接続するための端子Ｔ１，Ｔ２が取り付けられている。このヒューズ基板１１３は、ランプユニットＬＰＵに固定されており、ユーザーなどが容易には取り外せないようになっている。
【００３９】
このような構成のヒューズ基板１１３は、ランプユニットＬＰＵをプロジェクターＰＪに装着すると、端子Ｔ１，Ｔ２がプロジェクターＰＪ本体の電気回路に設けられたヒューズ接続用コネクタ（図示せず。）に接続され、当該電気回路におけるヒューズ溶断回路４３０（図５参照）から端子Ｔ１，Ｔ２を介してヒューズ１１２に対し、ヒューズ溶断用の電流を付与できるようになっている。なお、ヒューズ溶断回路４３０からヒューズ１１２に電流を付与するのは、通常投写モードが設定された場合であり、これについては後述する。
【００４０】
図４は、実施形態１に係るプロジェクターＰＪの外観を示す図である。なお、実施形態１に係るプロジェクターＰＪにおいては、ランプユニットＬＰＵの着脱は、プロジェクターＰＪの背面側にて行うものであるとする。このため、図４はプロジェクターＰＪの背面側が図示の正面となるように示されている。
【００４１】
実施形態１に係るプロジェクターＰＪの背面側には、図４に示すように、ランプユニットＬＰＵを収納するランプユニット収納部２１０、電源スイッチ２２１及びメニュー設定キー、Ｅｓｃキーなど各種のキーが設けられている操作パネル２２０、プロジェクターＰＪを商用電源（例えば１００ボルト）の供給部（一般的にはコンセントと呼ばれている。）に接続するための電源コード２３０などが設けられている。
【００４２】
ランプユニットＬＰＵをランプユニット収納部２１０に装着する際は、ランプユニットＬＰＵをランプユニット収納部２１０の形に合うような向きにしてランプユニット収納部２１０に設けられたガイドレール（図示せず。）に沿って挿入する。ランプユニットＬＰＵがランプユニット収納部２１０に適正に収納された状態となると、ヒューズ基板１１３の端子Ｔ１，Ｔ２がプロジェクターの電源回路に設けられたヒューズ基板接続用のコネクタに接続され、それによって、当該電気回路におけるヒューズ溶断回路４３０から端子Ｔ１，Ｔ２を介してヒューズ１１２に対し、ヒューズ溶断用の電流を付与できる状態となる。
【００４３】
図５は、実施形態１に係るプロジェクターＰＪの機能ブロック図である。実施形態１に係るプロジェクターＰＪは、図５に示すように、リモートコントローラー（リモコンという。）３１０からの指示信号を受信するリモコン信号受信部３２０、プロジェクターＰＪを動作させるための電力をプロジェクターＰＪの各部に与える電源制御部３３０、時間（ここではランプの点灯時間とする。）を計測するタイマ３４０、タイマ３４０によって計測されたランプの点灯時間を累積したランプ累積点灯時間を記憶する累積点灯時間記憶部３５０、表示すべきコンテンツに対応する画像データを入力する画像データ入力部３６０、画像データ入力部３６０に入力された画像データを処理する画像データ処理部３７０、画像データ処理部３７０で処理された画像データに基づいて画像を投写する画像投写部３８０を有している。
【００４４】
また、実施形態１に係るプロジェクターＰＪは、プロジェクターＰＪ内部（特にランプユニットＬＰＵとその周辺）を冷却するための冷却部（冷却ファンとする。）３９０、画像表示のための制御処理を行う画像表示制御部４００、ランプの点灯試験を行う際のランプ点灯試験制御を行うランプ点灯試験制御部４１０、ランプ点灯試験制御部４１０の制御によってランプユニットＬＰＵのヒューズ１１２が導通状態であるか否かを判定するヒューズ導通状態判定部４２０と、ランプ点灯試験制御部４１０の制御によってランプユニットＬＰＵのヒューズを溶断するための電流をヒューズ１１２に付与するヒューズ溶断回路４３０とを有している。
【００４５】
なお、ヒューズ溶断回路４３０は、ランプ点灯試験制御部４１０からの制御信号によって動作する。例えば、ヒューズ１１２の導通状態保持を指示する制御信号（例えば‘０’信号）が与えられている間は、ヒューズ溶断用の電流は発生せず、ランプ点灯試験制御部４１０からヒューズ１１２の溶断を指示する制御信号（例えば‘１’信号）が与えられると、ヒューズ溶断用の電流をヒューズに付与するといった動作を行う。
【００４６】
また、図５における画像投写部３８０は、図１に示すような光学系を有するとともに、ＲＧＢの各光変調素子１４３Ｒ，１４３Ｇ，１４３Ｂを駆動するための光変調素子駆動部（図示せず。）を有している。そして、画像データ処理部３７０で処理された画像データに基づいて、ランプユニットＬＰＵから射出される光（ダイクロイックミラー１４１，１４２で分離されたＲＧＢの各色）を各光変調素子１４３Ｒ，１４３Ｇ，１４３Ｂで変調して、変調したＲＧＢの各色光をクロスダイクロイックプリズム１４９で合成したのち、投写レンズ１５０により拡大してクリーンＳＣＲに投写する。
【００４７】
また、画像表示制御部４００は、リモコン３１０から入力された指示信号及び操作パネル２２０から入力された情報に基づいた設定を行うとともにその制御を行う機能と、ランプユニットＬＰＵのランプ１１０が点灯されるとタイマ３４０によって計測された当該ランプ１１０の点灯時間に基づいて、累積点灯時間記憶部３５０の内容を更新して、その時点における最新の累積点灯時間を累積点灯時間記憶部３５０に書き込む機能と、ユーザーによってランプ点灯試験を行う指示が与えられると、プロジェクターＰＪの動作モードを
ランプの点灯試験を行うためのモード（点灯試験モードという。）に設定する機能とを有している。
【００４８】
ランプ点灯試験制御部４１０は、画像表示制御部４００によって、点灯試験モードの設定がなされると、当該点灯試験モードにおける点灯試験を実行する機能を有している。この点灯試験については後述する。
【００４９】
図６は、実施形態１に係るプロジェクターＰＪの動作について説明するフローチャートである。まず、プロジェクターＰＪの電源がオンされると（ステップＳ１）、当該プロジェクターＰＪに装着されているランプユニットＬＰＵのヒューズが導通状態であるか否かをヒューズ導通状態判定部４２０によって判定し（ステップＳ２）、導通状態であれば、すなわち、ステップＳ２において「Ｙｅｓ」であれば、「点灯試験」／「通常投写」のうちのいずれかを選択可能なモード選択用画面をスクリーンＳＣＲ上に表示させる（ステップＳ３）。
【００５０】
図７は、「点灯試験」／「通常投写」のいずれかを選択可能なモード選択用画面の一例を示す図である。図７に示すように、モード選択用画面には、「点灯試験」、「通常投写」といった表示がなされ、ユーザーはこれらのうちのいずれかを選択することができる。また、モード選択用画面には、その時点において累積点灯時間記憶部３５０に記憶されているランプ累積点灯時間（プロジェクターＰＪに装着されていたランプユニットのランプ累積点灯時間）が、例えば「２５００時間」というように表示される。
【００５１】
図６に説明が戻って、ランプ点灯試験制御部４１０は、ユーザーにより「点灯試験」が選択されたか否かを判定し（ステップＳ４）、「点灯試験」が選択された場合、すなわち、ステップＳ４において「Ｙｅｓ」の場合には、点灯試験モードを設定する。この点灯試験モードにおいては、ヒューズ溶断回路４３０に対して、ヒューズ１１２の導通状態保持を指示するための制御信号（例えば‘０’信号）を与えるとともに強制的に電源をオフさせる（ステップＳ５，Ｓ６）。
【００５２】
なお、このような処理の過程で、操作者はランプが正常に点灯するか否かの確認を行うが、スクリーンＳＣＲ上に「点灯試験」／「通常投写」というような表示がなされていれば、ランプが正常に点灯している証であるので、それによって、ランプが正常に点灯するか否かは容易に判定することができる。
【００５３】
また、「点灯試験」が選択されたときに、強制的に電源をオフさせるのは（ステップＳ６）、当該ランプが正常に点灯することが確認できれば、それ以上、電源をオンさせておく必要はないからである。すなわち、点灯試験モードにおいては、ランプが正常に点灯するか否かを判定することが目的であるので、当該ランプが正常であることが分かれば、その時点で点灯試験の目的は達成されるからである。このように、「点灯試験」が選択されたときに、強制的に電源をオフさせることによって、余分な電力消費を抑制する効果が得られるとともに、ランプの点灯により発生する熱をできるだけ抑制するといった効果も得られる。
【００５４】
また、強制的に電源をオフさせる他の理由としては、ヒューズの導通状態を保持したまま、通常投写を行うことができないようにすることが挙げられる。実施形態１に係るプロジェクターＰＪにおいては、電源がオンの状態でヒューズの導通状態を保持するのは、点灯試験を行う場合のみであり、もし、ヒューズの導通状態を保持したままで、通常投写が可能となってしまうと、その状態で、長期間、プロジェクターを使用されてしまい、悪意のあるユーザーからプロジェクターの販売店などにランプユニットに関して不当な要求がなされる可能性もあり得る。
【００５５】
すなわち、ヒューズが導通状態であるということは、当該ランプユニットは新品であることを意味している。これを悪用して、例えば、ヒューズの導通状態を保持したままで、当該ランプユニットを長期間使用した後に、何らかの不具合が生じてランプ不点灯となった場合などにおいては、悪意あるユーザーによって、「新品のランプユニットであるはずなのに、ランプが点灯しない」というような不当な要求がなされる可能性もあり得る。このような不具合を防止するためには、点灯試験が選択された場合は、通常投写を不能とする機能を有することが必要となる。
【００５６】
ところで、図６におけるステップＳ４において、「点灯試験」が選択されなかった場合、すなわち、ステップＳ４において「Ｎｏ」の場合には、ランプ点灯試験制御部４１０は、通常投写モードを設定し、ヒューズ溶断回路４３０に対してヒューズの溶断を指示する制御信号（例えば‘１’信号）を与えて、ヒューズを溶断させる（ステップＳ７）。そして、ランプ点灯試験制御部４１０は、累積点灯時間記憶部３５０に記憶されているランプ累積点灯時間をリセットする（ステップＳ８）。
【００５７】
以上の処理は、ステップＳ２において、ヒューズが導通状態であると判定された場合の処理であり、これは、ランプユニットＬＰＵが新品である場合の処理である。このように、ヒューズ１１２が導通状態である場合には、点灯試験モードであるか通常投写モードであるかを判断して、点灯試験モードである場合には、ヒューズ１１２の導通状態を保持したままで、点灯試験を行えるようにしている。一方、通常投写モードである場合には、その時点でヒューズを溶断させ、ランプ累積点灯時間をリセットさせる。これにより、新たに装着されたランプユニットＬＰＵのランプ点灯時間を累積して記憶して行くことができる。
【００５８】
一方、ステップＳ２において、ヒューズが導通状態ではないと判定された場合には、当該ランプユニットＬＰＵは、すでに通常の動作状態となっているものとして、プロジェクターＰＪを通常投写モードとする（ステップＳ９）。
【００５９】
なお、プロジェクターＰＪには、冷却ファン３９０（図５参照。）が設けられており、ランプユニットＬＰＵのランプ１１０が点灯している際には、ランプ１１０による発熱を外部に逃がすために、冷却ファン３９０が駆動されているのが一般的である。また、最近のプロジェクターにおいては、電源がオフされると冷却ファンの駆動もほぼ同時に停止させるようにしているものが多い。これに対して、実施形態１に係るプロジェクターＰＪにおいては、点灯試験モードが設定された場合は、強制的に電源をオフ（図６におけるステップＳ６）させたあとも、冷却ファン３９０を所定時間だけ駆動させる機能を設ける。
【００６０】
このように、点灯試験モードが設定された場合、電源がオフされたあとも、冷却ファン３９０を所定時間だけ駆動させるのは、点灯試験モードにおいて、ヒューズ基板１１３のヒューズ１１２及び端子Ｔ１，Ｔ２が熱により破壊されるのを防止するためである。
【００６１】
これは、ヒューズ及び端子Ｔ１，Ｔ２は、熱により破壊されやすく、特に、端子Ｔ１，Ｔ２は熱の影響をより受けやすいためであり、点灯試験を行ったときに、端子Ｔ１，Ｔ２が破壊されてしまうと、当該ランプユニットＬＰＵは新品としての商品価値がなくなってしまうからである。このため、点灯試験モードが設定された場合には、電源がオフされたあとも、冷却ファン３９０を所定時間だけ作動させて、通常の動作モード時よりも、冷却効果をより高くして、ヒューズ１１２や端子Ｔ１，Ｔ２の破壊を防止するようにしている。
【００６２】
ところで、本発明において、「電源がオフ」というのは、プロジェクターＰＪに設けら
れている電源スイッチ２２１又はリモコン３１０の操作によって電源がオフ状態となることを意味しており、電源コード２３０のプラグを電源の供給部（コンセント）から引き抜いた状態を意味するものではない。したがって、電源がオフの状態であっても、必要な回路（例えば冷却ファン３９０を駆動するための冷却ファン駆動回路など）に対しては所定の電力は供給可能となる。
【００６３】
なお、通常投写モード（図６におけるステップＳ７，Ｓ８及びステップＳ９）においては、ヒューズ１１２は溶断された状態となるので、端子Ｔ１，Ｔ２の役目は終わり、かつ、当該ランプユニットＬＰＵは新品ではなくなるので、ヒューズ１１２及び端子Ｔ１，Ｔ２に対しては熱の影響を考慮する必要はなくなる。このため、通常投写モードにおいては、電源がオフされた時点で冷却ファン３９０の駆動を停止させるようにしてもよい。
【００６４】
以上説明したように、実施形態１に係るプロジェクターＰＪにおいては、「点灯試験」が選択されると、ヒューズ１１２には電流を流さないようにヒューズ溶断回路４３０を制御するため、ヒューズ１１２の導通状態を保持したままで、ランプの点灯試験を行うことができる。これにより、ランプユニットＬＰＵの交換時において、新たなランプユニットＬＰＵをプロジェクターＰＪに装着した場合、当該ランプユニットＬＰＵにおけるランプの点灯試験を行う場合には、点灯試験モードの設定を行った上で、点灯試験を実施すれば、ヒューズ１１２の導通状態を保持したままで、点灯試験を実施することができる。
【００６５】
なお、図６に示す処理は、プロジェクターＰＪが使用されるごと（電源がオンされるごと）に行われるものである。ただし、ランプユニットＬＰＵの交換時ではなく、プロジェクターＰＪの通常の使用時においては、電源がオンされたのち、ステップＳ２においてヒューズ１１２が導通状態であるか否かが判断されると、この場合は、ヒューズ１１２は既に溶断されているので、ステップＳ９の処理に移って通常投写モードとなる。
【００６６】
［実施形態２］
図８は、実施形態２に係るプロジェクターＰＪの動作を説明するフローチャートである。図８におけるステップＳ１１〜Ｓ１５は、図６に示すフローチャートのステップＳ１〜Ｓ５と同じであり、また、図８におけるステップＳ１７，Ｓ１８及びステップＳ１９は、図６に示すフローチャートのステップＳ７，Ｓ８及びステップＳ９と同じである。また、前述の実施形態１に係るプロジェクターＰＪの説明に用いた図１〜図５及び図７は、実施形態２に係るプロジェクターＰＪにおいても用いることができる。
【００６７】
実施形態２に係るプロジェクターＰＪが実施形態１に係るプロジェクターＰＪと異なるのは、「点灯試験」が選択されたか否かを判定した結果、「点灯試験」が選択された場合、すなわち、ステップＳ１４において「Ｙｅｓ」の場合は、ヒューズ１１２の導通状態を保持するとともに、点灯試験中であることを示す情報（例えば「点灯試験中」）をスクリーンＳＣＲ上に表示（ステップＳ１６）させる点である。なお、「点灯試験中」といった情報は、ユーザーによって電源がオフされるまで表示される。このときの「点灯試験中」の表示の仕方としては、継続的な表示の仕方であってもよく、また、点滅するような表示の仕方であってもよい。
【００６８】
このように、点灯試験中であることを示す情報を電源がオフされるまで表示するのは、ヒューズ１１２の導通状態を保持したままで、通常投写が行えないようにするためであり、これは、実施形態１に係るプロジェクターＰＪにおいて説明した理由と同様の理由によるものである。
【００６９】
また、実施形態２に係るプロジェクターＰＪにおいても、実施形態１に係るプロジェクターＰＪと同様、点灯試験モードが設定された場合は、ヒューズ基板１１３のヒューズ１
１２及び端子Ｔ１，Ｔ２を保護するために、電源がオフされた後においても、冷却ファン３９０を所定時間だけ駆動させるようにする。なお、実施形態２に係るプロジェクターＰＪおいては、電源のオフはユーザーが行うので、ユーザーによって電源がオフされたあとも冷却ファン３９０を所定時間だけ駆動させるようにする。
【００７０】
なお、本発明は上記各実施形態に限られるものではなく、本発明の要旨を逸脱しない範囲で変形実施も可能である。例えば、上記した各実施形態においては、スクリーンに画像を投写するプロジェクターを例にとって説明したが、プロジェクションテレビジョンとして用いられるプロジェクターであっても本発明を適用することができる。
【符号の説明】
【００７１】
１１０・・・ランプ、１１２・・・ヒューズ、１１３・・・ヒューズ基板、２１０・・・ランプユニット収納部、２２１・・・電源スイッチ、２２０・・・操作パネル、３５０・・・累積点灯時間記憶部、３９０…冷却部（冷却ファン）、４００・・・画像表示制御部、４１０・・・ランプ点灯試験制御部、４２０・・・ヒューズ導通状態判定部、４３０・・・ヒューズ溶断回路、ＬＰＵ・・・ランプユニット、ＰＪ・・・プロジェクター、Ｔ１，Ｔ２・・・端子
【図１】
2010244699.tif 000003
【図２】
2010244699.tif 000004
【図３】
2010244699.tif 000005
【図４】
2010244699.tif 000006
【図５】
2010244699.tif 000007
【図６】
2010244699.tif 000008
【図７】
2010244699.tif 000009
【図８】
2010244699.tif 000010